(57)【要約】【課題】ケース本体と蓋部材とを組み付けて形成される基板ケースにおいて、ケース本体と蓋部材との固定が不正に解除されたことを視覚的に容易に確認することができる基板ケースを提供する。【解決手段】第一蓋側かしめ部１３０（前記蓋側筒状部材）は、複数の蓋側連結片１３５を介して前記蓋部材３に連結され、前記複数の蓋側連結片１３５のうち、後部蓋側連結片１３５ｂ（一部の連結片）と前部蓋側連結片１３５ａ（他部の連結片）とは、第一蓋側かしめ部１３０（前記蓋側筒状部材）と前記蓋部材３との間における、前記対向方向である前後方向の位置をずらして配置され、後部蓋側連結片１３５ｂ（前記一部の連結片）は、前部蓋側連結片１３５ａ（前記他部の連結片）よりも、前記前後方向の前記ケース本体２側に配置される。【選択図】図１４
2011212326.tif 000002
【特許請求の範囲】
【請求項１】
ケース本体と蓋部材とを組み付けて形成される基板ケースにおいて、
前記ケース本体の一側面に設けられる本体側筒状部材と、前記蓋部材の一側面に設けられる蓋側筒状部材とが対向して配置されることにより構成される基板ケース筒状部材と、
前記基板ケース筒状部材に、前記本体側筒状部材と前記蓋側筒状部材とを跨いだ状態に嵌入されることにより、前記ケース本体と前記蓋部材とを固定する嵌入部材と、
を備え、
前記蓋側筒状部材は、複数の連結片を介して前記蓋部材に連結され、
前記複数の連結片のうち、一部の連結片と他部の連結片とは、前記蓋側筒状部材と前記蓋部材との間における、前記対向方向の位置をずらして配置され、
前記一部の連結片は、前記他部の連結片よりも、前記対向方向の前記ケース本体側に配置される、
ことを特徴とする基板ケース。
【請求項２】
前記他部の連結片は、少なくとも２つ以上設けられ、それぞれが前記蓋側筒状部材と前記蓋部材との間で、前記対向方向に対して直交する方向に所定の間隔をあけて配置され、
前記一部の連結片は、前記蓋側筒状部材と前記蓋部材との間で、前記他部の連結片よりも、前記対向方向における前記ケース本体側の位置であって、かつ前記対向方向に対して直交する方向における前記所定の間隔をあけて配置された前記他部の連結片の前記間隔内に配置される、
ことを特徴とする請求項１に記載の基板ケース。
【発明の詳細な説明】
【技術分野】
【０００１】
本発明は、ケース本体と蓋部材とを組み付けて形成される基板ケースの技術に関する。
【背景技術】
【０００２】
従来、パチンコ機やスロットルマシン等の遊技機に対して、制御基板を収納する部材として、ケース本体と蓋部材とを組み付けて形成される基板ケースが用いられている。基板ケースに収納した制御基板への不正行為を防止するため、基板ケースに関する種々の技術が公知となっている。これらの技術の中には、基板ケースが不正に開封されることを防止することにより、その基板ケースに収納した制御基板に不正行為が行われることを防止するとともに、仮に基板ケースが不正に開封された場合には、その遊技機が設置された遊技場等の担当者が、基板ケースが不正に開封されたことを認識することができる技術がある。
【０００３】
例えば、特許文献１に記載の技術にて、ケース本体と蓋部材とを組み付けて形成される基板ケースは、制御基板を収納した状態で、ケース本体を遊技機側へ向けて遊技機に取り付けられる。基板ケースは、ケース本体に設けられたケース側筒部と、蓋部材に設けられた蓋側筒部とを備える。蓋側筒部は、視認可能な位置に配置された連結片を介して蓋部材に連結されている。基板ケースにおいて、ケース側筒部と蓋側筒部とは、それぞれの内部空間が基板ケースの取り付け方向へ向けて繋がっている。そして、スプリングピンが、蓋側筒部から遊技機側へ向けて蓋側筒部およびケース側筒部に挿入される。スプリングピンは、蓋側筒部とケース側筒部との内部空間を跨いだ位置まで挿入されると、蓋側筒部に嵌め込まれて固定され、ケース本体と蓋部材とが固定される。
【０００４】
このような構成において、ケース本体と蓋部材との固定を解除するには、蓋部材と蓋側筒部とを連結する連結片を切断すればよい。つまり連結片を切断すると、蓋部材と蓋側筒部とが分離して別体となり、ひいては蓋部材とケース本体との固定を解除することができる。また、連結片は基板ケースの反遊技機側で視認可能な位置に配置されるので、仮に不正に連結片が切断された場合には、その連結片の切断跡を前記担当者が視覚的に認識することができる。その結果、前記担当者は、蓋部材とケース本体との固定が不正に解除されたこと（つまり、基板ケースが不正に開封されたおそれがあること）を、視覚的に認識することができる。
【先行技術文献】
【特許文献】
【０００５】
【特許文献１】特開２００７−２６８０６２号公報
【発明の概要】
【発明が解決しようとする課題】
【０００６】
しかしながら、連結片は、基板ケースと比べてかなり小さい部材である。したがって、例えば連結片が不正に切断されたとしても、その切断跡が小さい場合、つまり切断されて二つに分離した一方の連結片と、他方の連結片との間隔が小さい場合には、前記担当者が基板ケースを視認しても、その連結片の切断跡を認識し難いという問題があった。つまり、前記担当者が、蓋部材とケース本体との固定が不正に解除されたこと（つまり、基板ケースが不正に開封されたおそれがあること）を、視覚的に認識するのが困難であるという問題があった。
【０００７】
本発明は、上記のような問題点に鑑みてなされるものであり、その解決しようとする課題は、ケース本体と蓋部材とを組み付けて形成される基板ケースにおいて、ケース本体と蓋部材との固定が不正に解除されたことを視覚的に容易に確認することができる基板ケースを提供するものである。
【課題を解決するための手段】
【０００８】
本発明の解決しようとする課題は以上の如くであり、次にこの課題を解決するための手段を説明する。
【０００９】
即ち、請求項１においては、ケース本体と蓋部材とを組み付けて形成される基板ケースにおいて、前記ケース本体の一側面に設けられる本体側筒状部材と、前記蓋部材の一側面に設けられる蓋側筒状部材とが対向して配置されることにより構成される基板ケース筒状部材と、前記基板ケース筒状部材に、前記本体側筒状部材と前記蓋側筒状部材とを跨いだ状態に嵌入されることにより、前記ケース本体と前記蓋部材とを固定する嵌入部材と、を備え、前記蓋側筒状部材は、複数の連結片を介して前記蓋部材に連結され、前記複数の連結片のうち、一部の連結片と他部の連結片とは、前記蓋側筒状部材と前記蓋部材との間における、前記対向方向の位置をずらして配置され、前記一部の連結片は、前記他部の連結片よりも、前記対向方向の前記ケース本体側に配置されるものである。
【００１０】
請求項２においては、前記他部の連結片は、少なくとも２つ以上設けられ、それぞれが前記蓋側筒状部材と前記蓋部材との間で、前記対向方向に対して直交する方向に所定の間隔をあけて配置され、前記一部の連結片は、前記蓋側筒状部材と前記蓋部材との間で、前記他部の連結片よりも、前記対向方向における前記ケース本体側の位置であって、かつ前記対向方向に対して直交する方向における前記所定の間隔をあけて配置された前記他部の連結片の前記間隔内に配置されるものである。
【発明の効果】
【００１１】
本発明の効果として、以下に示すような効果を奏する。
【００１２】
基板ケースにおいて、ケース本体と蓋部材との固定が不正に解除されたことを視覚的に容易に確認することができる。
【図面の簡単な説明】
【００１３】
【図１】本発明の一実施形態に係る基板ケースの全体的な構成を示した斜視図。
【図２】同じく、かしめ部カバーおよびシール貼付部カバーを取り外した状態の構成を示した斜視図。
【図３】同じく、かしめ部カバーおよびシール貼付部カバーを取り外した状態の構成を示した正面図。
【図４】同じく、蓋部材およびケース本体の構成を示した基板ケースの分解斜視図。
【図５】同じく、かしめ部の構成を示した斜視図。
【図６】（ａ）同じく、蓋側かしめ部の構成を示した斜視図。（ｂ）同じく、かしめ部の構成を示した正面図。
【図７】（ａ）同じく、ケース側かしめ部の構成を示した斜視図。（ｂ）同じく、かしめ部の構成を示した背面図。
【図８】（ａ）同じく、第一蓋側かしめ部および第二蓋側かしめ部の構成を示した平面図。（ｂ）同じく、第一本体側かしめ部および第二本体側かしめ部の構成を示した平面図。
【図９】（ａ）同じく、第一蓋側かしめ部および第二蓋側かしめ部の構成を示した平面断面図。（ｂ）同じく、第一本体側かしめ部および第二本体側かしめ部の構成を示した平面断面図。
【図１０】同じく、第一かしめ部および第二かしめ部の構成を示した平面図。
【図１１】同じく、第一かしめ部および第二かしめ部の構成を示した平面断面図。
【図１２】同じく、嵌入部材の構成を示した正面図。
【図１３】同じく、第一かしめ部および第二かしめ部に嵌入部材が嵌入された状態を示した平面断面図。
【図１４】（ａ）同じく、蓋側連結片の構成を示した側面断面図。（ｂ）同じく、蓋側連結片の構成を示した平面断面図。
【図１５】（ａ）同じく、蓋側連結片の切断用工具の一例を示した平面図。（ｂ）同じく、図１５（ａ）における矢視Ａ−Ａ線断面図。
【図１６】（ａ）同じく、切断前の切断用工具と蓋側連結片との関係を示した平面図。（ｂ）同じく、切断中の切断用工具と蓋側連結片との関係を示した平面図。（ｃ）同じく、切断後の切断用工具と蓋側連結片との関係を示した平面図。
【図１７】（ａ）同じく、切断用工具の後部蓋側連結片切断位置を示した平面図。（ｂ）同じく、切断用工具の後部蓋側連結片切断位置への移動が規制された状態を示した平面図。
【図１８】（ａ）同じく、切断後の蓋側連結片の構成を示した平面図。（ｂ）同じく、切断後の蓋側連結片の構成を示した側面図。
【図１９】（ａ）従来の切断後の蓋側連結片の構成を示した平面図。（ｂ）同じく、従来の切断後の蓋側連結片の構成を示した側面図。
【図２０】本発明の別実施形態に係る基板ケースにおける蓋側連結片の構成を示した平面図。
【発明を実施するための形態】
【００１４】
本発明の一実施形態に係る基板ケース１について、図１から図４を用いて説明する。
なお、以下の説明において、図１における矢印Ｘの指す方向を基板ケース１の右方向として左右方向を規定する。また、図１における矢印Ｙの指す方向を基板ケース１の前方向として前後方向を規定する。さらに、図１における矢印Ｚの指す方向を基板ケース１の上方向として上下方向を規定する。
【００１５】
基板ケース１は、パチンコ機やスロットルマシン等の遊技機に対して、制御基板を収納する部材として用いられる。基板ケース１は、ポリカーボネート（Ｐｏｌｙｃａｒｂｏｎａｔｅ：ＰＣ）等の透明かつ硬質な合成樹脂材料等により構成され、その内部に制御基板（不図示）を収納する中空状の部材である。基板ケース１は、その内部に制御基板を収納した状態で、パチンコ機やスロットルマシン等の遊技機の裏側に配置されて、この遊技機の裏面に取り付けられる。
【００１６】
基板ケース１は、図１から図４に示すように、ケース本体２と、蓋部材３とを備える。基板ケース１は、ケース本体２と蓋部材３とを、後前に対向させた状態で組み付け、中空状に構成される。基板ケース１においては、かしめ部１０およびシール貼付部４がケース本体２と蓋部材３との間に跨って設けられて、かしめ部１０がかしめ部カバー５により被覆され、シール貼付部４がシール貼付部カバー６により被覆される。
【００１７】
ケース本体２は、蓋部材３とともに基板ケース１の主たる構造体を成す部材である。ケース本体２は、蓋部材３との対向側である前側および下側が開口された略直方体の箱状に形成される。ケース本体２は、その長手方向を左右方向とし、その短手方向を上下方向として配置され、背面が遊技機の裏面と対向するように当該遊技機に支持される。ケース本体２の前後幅は、上下幅よりも短く設定される。また、ケース本体２は、本体側シール貼付部４２と、本体側かしめ部２０とを備える。
【００１８】
本体側シール貼付部４２は、後述する蓋部材３の蓋側シール貼付部４３とともにシール貼付部４を構成する。本体側シール貼付部４２は、ケース本体２の右端部（右側板）から右外方へ向けて突設される。本体側シール貼付部４２は、前側が開口された略直方体の箱状に形成される。本体側シール貼付部４２の前後幅はケース本体２の前後幅の半分程度に設定され、本体側シール貼付部４２の上下幅はケース本体２の上下幅よりも短く設定される。
【００１９】
本体側かしめ部２０は、後述する蓋部材３の蓋側かしめ部３０とともにかしめ部１０を構成する。本体側かしめ部２０は複数（本実施形態においては６つ）備えられる。複数の本体側かしめ部２０は、ケース本体２の上端部（天板）に設けられ、ケース本体２の長手方向、即ち左右方向に適宜の間隔ごとに配置される。
【００２０】
蓋部材３は、ケース本体２とともに基板ケース１の主たる構造体を成す部材である。蓋部材３は、ケース本体２との対向側である後側が開口されたケース本体２と同程度の大きさの略直方体の箱状に形成される。蓋部材３は、その長手方向を左右方向とし、その短手方向を上下方向として配置される。蓋部材３の前後幅は、上下幅よりも短く設定される。また、蓋部材３は、蓋側シール貼付部４３と、蓋側かしめ部３０とを備える。
【００２１】
蓋側シール貼付部４３は、ケース本体２の本体側シール貼付部４２とともにシール貼付部４を構成する。蓋側シール貼付部４３は、蓋部材３の右端部（右側板）から右外方へ向けて突設される。蓋側シール貼付部４３は、ケース本体２の本体側シール貼付部４２と同程度の上下幅および左右幅を有する略平板状に形成され、蓋部材３がケース本体２に組み付けられたときに正面視で本体側シール貼付部４２と重なり合うように配置される。
【００２２】
蓋側かしめ部３０は、ケース本体２の本体側かしめ部２０とともにかしめ部１０を構成する。蓋側かしめ部３０は、本体側かしめ部２０と同数（本実施形態においては６つ）備えられる。複数の蓋側かしめ部３０はそれぞれ、蓋部材３の上端部（天板）に設けられ、蓋部材３がケース本体２に組み付けられたときに正面視で一つの本体側かしめ部２０と重なり合うように配置される。
【００２３】
かしめ部１０は、一つの本体側かしめ部２０と一つの蓋側かしめ部３０とから形成される。かしめ部１０は、本体側かしめ部２０（蓋側かしめ部３０）と同数（本実施形態においては６つ）備えられる。複数のかしめ部１０は、ケース本体２と蓋部材３とが組み付けられたとき、蓋側かしめ部３０を本体側かしめ部２０に下方から嵌め込んだ状態で形成され、前後に連続する蓋部材３の天板の前側部分およびケース本体２の天板よりも上方に配置される。
【００２４】
シール貼付部４は、本体側シール貼付部４２と蓋側シール貼付部４３とから形成される。シール貼付部４は、ケース本体２と蓋部材３とが組み付けられたとき、蓋側シール貼付部４３により本体側シール貼付部４２の開口側を閉塞して、略直方体の箱状に形成される。シール貼付部４には、本体側シール貼付部４２と蓋側シール貼付部４３とを跨ぐように、封印シールが貼付される。これにより、蓋部材３がケース本体２から外されたときには、封印シールが剥離した痕跡が残るため、基板ケース１が開封されたことが視覚的に認識可能となる。
【００２５】
かしめ部カバー５は、図１に示すように、複数のかしめ部１０を被覆する透明の部材である。かしめ部カバー５は、基板ケース１の内部に収納した制御基板への不正行為を防止するために用いられる。かしめ部カバー５は、下側が開口された略直方体の箱状に形成される。かしめ部カバー５は、ケース本体２と蓋部材３とが組み付けられたとき、前後に連続する蓋部材３の天板の前側部分、およびケース本体２の天板に取り付けられる。
【００２６】
シール貼付部カバー６は、図１に示すように、シール貼付部４を被覆する透明の部材である。シール貼付部カバー６は、基板ケース１の内部に収納した制御基板への不正行為を防止するために用いられる。シール貼付部カバー６は、左側が開口された略直方体の箱状に形成される。シール貼付部カバー６は、ケース本体２と蓋部材３とが組み付けられたとき、蓋部材３の右側板およびケース本体２の右側板に取り付けられる。シール貼付部カバー６の前後左右および上下幅は、シール貼付部４を外側から被覆可能な長さに設定される。
【００２７】
このように構成される基板ケース１において、その組み立て時には、まず、図３に示すように、蓋部材３を開口側がケース本体２の前開口側と対向するようにケース本体２の前方に移動させて、ケース本体２と蓋部材３との左右方向の位置を合わせる。次に、蓋部材３をケース本体２よりも少し下方へ移動させながらケース本体２に近づけて、蓋部材３の天板および左右側板の後側部分がケース本体２内においてケース本体２の天板および左右側板にそれぞれ内側から当接するように蓋部材３の上部をケース本体２に嵌合させる。
【００２８】
その後、蓋部材３の上部をケース本体２に嵌合させたまま上方へスライド移動させて、蓋部材３の各蓋側かしめ部３０をケース本体２の各本体側かしめ部２０に下方から嵌め込んで、蓋部材３をケース本体２に組み付ける。この際、各蓋側かしめ部３０が対応する各本体側かしめ部２０と前後に並んで、各かしめ部１０が形成されることになる。同時に、蓋側シール貼付部４３が本体側シール貼付部４２と前後に並んで、シール貼付部４が形成されることになる。そして、嵌入部材５０を各かしめ部１０（蓋側かしめ部３０および本体側かしめ部２０）に前方または後方から嵌入して、本体側かしめ部２０と蓋側かしめ部３０とをかしめ、ケース本体２と蓋部材３とを複数のかしめ部１０にて固定する。
【００２９】
こうして、ケース本体２と蓋部材３とを組み付け、組み付けたケース本体２と蓋部材３との間に跨ってかしめ部１０およびシール貼付部４を設けた後、かしめ部カバー５をケース本体２および蓋部材３の上部に取り付けて、複数のかしめ部１０をかしめ部カバー５により外側から一括して覆う。また、シール貼付部カバー６をケース本体２および蓋部材３の右側部に取り付けて、シール貼付部４をシール貼付部カバー６により外側から覆う。これにより、基板ケース１の組み立てが終了して、基板ケース１が完成する。
【００３０】
次に、かしめ部１０の構成について、図５から図１１を用いてさらに詳細に説明する。
【００３１】
複数のかしめ部１０は、複数組に分けられて、基板ケース１の上端部に組ごとに数個ずつまとめて配置される。本実施形態においては、図５に示すように、６つのかしめ部１０が、二組に分けられて、基板ケース１の上端部における左右の２箇所に３つずつまとめて配置される。
以下の説明においては、左側の組の構成についてのみ説明する。右側の組の構成は、左側の組と略同一の構成であって、基板ケース１の左右中央を中心として左右対称な構成であるので、各構成部材に図面にて左側の組の説明で用いた符号と同一の符号を付すことで、その説明を省略する。
【００３２】
３つのかしめ部１０は、基板ケース１の上端部において、基板ケース１の左右中央よりも左側に配置され、隣り合うものと近接した状態で左右方向へ順次並べられる。本実施形態においては、図５に示すように、３つのかしめ部１０である第一かしめ部１００、第二かしめ部２００および第三かしめ部３００が、基板ケース１の上端部左側において、右側（基板ケース１の左右中央側）から左側（基板ケース１の左右外側）へ順次並べられる。
なお、本実施形態においては、ケース本体２と蓋部材３とを固定する場合、３つのかしめ部１０のうち、隣り合う第一かしめ部１００および第二かしめ部２００の２つ（２種類）のかしめ部を用いる。第三かしめ部３００は、第一かしめ部１００および第二かしめ部２００の予備のかしめ部とする。
【００３３】
次に、第一かしめ部１００および第二かしめ部２００の構成について説明する。
なお、第三かしめ部３００の構成は、第一かしめ部１００と略同様の構成であって、第二かしめ部２００を中心として左右対称な構成であるので、各構成部材に図面にて第一かしめ部１００の説明で用いた符号と同一の符号を付すことで、その説明を省略する。
【００３４】
まず、第一かしめ部１００の構成について、図５から図１１を用いて説明する。
【００３５】
第一かしめ部１００は、図５に示すように、第一本体側かしめ部１２０と、第一蓋側かしめ部１３０とを備える。第一かしめ部１００は、その長手方向をケース本体２と蓋部材３との対向方向である前後方向として、３つのかしめ部１０中で最も右側に配置される。
【００３６】
第一本体側かしめ部１２０は、図７から図１１に示すように、第一かしめ部１００の後側に配置される。第一本体側かしめ部１２０は、ケース本体２に設けられる。第一本体側かしめ部１２０は、第一本体側筒部１２１と、第一本体側収容部１２２と、第一本体側枠体１２３とを備える。
【００３７】
第一本体側筒部１２１は、前側が開口され、後側が閉塞部１２５により閉じられた有底の略円筒状に形成される。第一本体側筒部１２１は、その軸心方向を前後方向として、ケース本体２の天板（基板ケース１の天板）よりも上方に配置される。第一本体側筒部１２１は、ケース本体２の天板に固定リブ１２１ａを介して固定される。
【００３８】
第一本体側収容部１２２は、図７に示すように、前後側および下側が開口された略筒状に形成される。第一本体側収容部１２２は、ケース本体２の天板の上方において、その軸心方向を前後方向として、第一本体側筒部１２１のすぐ前に配置され、第一本体側筒部１２１と前後に連続するように設けられる。第一本体側収容部１２２は、上部の外周形状が上方へ凸となるように円弧状であって、第一本体側筒部１２１よりも大径に形成されて、第一本体側筒部１２１と連通される。第一本体側収容部１２２は、ケース本体２の天板に直接固定される。
【００３９】
第一本体側枠体１２３は、図７に示すように、前後側および下側が開口された略四角筒状に形成される。第一本体側枠体１２３は、ケース本体２の天板の上方において、その軸心方向を前後方向として、第一本体側収容部１２２のすぐ前に配置されて、第一本体側収容部１２２と前後に連続するように設けられる。第一本体側枠体１２３は、第一本体側収容部１２２よりも大径に形成されて、第一本体側収容部１２２と連通される。第一本体側枠体１２３は、ケース本体２の天板に直接固定される。
【００４０】
こうして、第一本体側かしめ部１２０は、第一本体側筒部１２１と、第一本体側収容部１２２と、第一本体側枠体１２３とを後方から前方へ向けて順に連続させて構成され、図９（ｂ）に示すように、全体として軸心方向を前後方向とする略筒状に形成される。ここで、第一本体側かしめ部１２０は、第一本体側筒部１２１、第一本体側収容部１２２および第一本体側枠体１２３の形状に応じて、後方から前方へ向けて段階的に拡径しながら、蓋部材３との対向側である前側を開口するとともに、蓋部材３との反対向側である後側を閉じ、さらには前部の下側を開口する形状となる。
【００４１】
第一蓋側かしめ部１３０は、図６、図８から図１１に示すように、第一かしめ部１００の前側に配置される。第一蓋側かしめ部１３０は、その後側部分を第一本体側かしめ部１２０内に嵌め込むことができるように構成されて、蓋部材３に設けられる。第一蓋側かしめ部１３０は、第一蓋側収容部１３２と、第一蓋側筒部１３１とを備える。
【００４２】
第一蓋側収容部１３２は、前後側が開口された略四角筒状に形成される。第一蓋側収容部１３２は、その軸心方向を前後方向として、蓋部材３の天板（基板ケース１の天板）よりも上方に配置される。
第一蓋側収容部１３２は、複数（本実施形態においては３つ）の蓋側連結片１３５を介して蓋部材３の天板に連結される。各蓋側連結片１３５は、ニッパ等の切断用工具により切断可能な部材である。
ここで、第一蓋側収容部１３２は、第一本体側かしめ部１２０の第一本体側枠体１２３の内周形状に合わせた略四角筒状に形成される。その上で、図１０および図１１に示すように、第一蓋側収容部１３２の外径は、第一本体側枠体１２３の内径よりも若干小さく、かつ第一本体側収容部１２２の内径よりも大きく設定される。こうして、第一蓋側収容部１３２は、その後側部分を第一本体側枠体１２３内に嵌め込むことができるように構成される。
また、第一蓋側収容部１３２の左右の側板には、それぞれその後端部を切り欠くようにして、上下方向に細長い長方形状の開口部１３６が形成される。
【００４３】
第一蓋側筒部１３１は、前後側ともに開口された略円筒状に形成される。第一蓋側筒部１３１は、蓋部材３の天板の上方において、その軸心方向を前後方向として、第一蓋側収容部１３２のすぐ後に左右の開口部１３６を閉塞しないように配置されて、第一蓋側収容部１３２と前後に連続するように設けられる。
第一蓋側筒部１３１は、第一蓋側収容部１３２の内径よりも小径に形成され、第一蓋側収容部１３２と連通される。第一蓋側筒部１３１は、その前端部を第一蓋側収容部１３２の後端部内に嵌入することにより、この第一蓋側収容部１３２を介して基板ケース１（さらに詳細には、蓋部材３）の天板に連結される。
ここで、第一蓋側筒部１３１は、第一本体側かしめ部１２０の第一本体側収容部１２２の内周形状に合わせた略円筒状に形成される。その上で、図１０および図１１に示すように、第一蓋側筒部１３１の外径は、第一本体側収容部１２２の内径よりも若干小さく、かつ第一本体側筒部１２１の内径よりも大きく設定される。また、第一蓋側筒部１３１の内径は、第一本体側筒部１２１の内径と同程度に設定される。こうして、第一蓋側筒部１３１は、そのすべての部分を、第一本体側収容部１２２内に嵌め込むことができるように構成される。
【００４４】
こうして、第一蓋側かしめ部１３０は、第一蓋側収容部１３２および第一蓋側筒部１３１を前後に連続させて構成され、図９（ａ）に示すように、全体として軸心方向を前後方向とする略筒状に形成される。ここで、第一蓋側かしめ部１３０は、第一蓋側収容部１３２および第一蓋側筒部１３１に応じて、前方から後方へ向けて段階的に縮径しながら、ケース本体２との反対向側である前側を開口するとともに、ケース本体２との対向側である後側を開口する形状となる。
【００４５】
このような構成において、前述のように基板ケース１を組み立てる場合に、蓋部材３の上部をケース本体２に嵌合させたまま上方へスライド移動させるとき、蓋部材３の第一蓋側かしめ部１３０が、蓋部材３のスライド移動にともなって上方へ向けて移動し、ケース本体２の第一本体側かしめ部１２０に下方から嵌め込まれる。具体的には、第一蓋側収容部１３２の後端部が第一本体側枠体１２３内に嵌め込まれ、第一蓋側筒部１３１の全部が第一本体側収容部１２２内に嵌め込まれる。この際、第一蓋側収容部１３２は第一本体側収容部１２２内に嵌め込まれず、第一蓋側筒部１３１は第一本体側筒部１２１内に嵌め込まれない。こうして、第一かしめ部１００は、ケース本体２と蓋部材３とが組み付けられたときに、第一蓋側かしめ部１３０の後部を第一本体側かしめ部１２０の前部内に下方から嵌め込んで、第一蓋側かしめ部１３０が第一本体側かしめ部１２０と前後に略一直線状に並ぶように形成される。
【００４６】
第一かしめ部１００内においては、第一蓋側筒部１３１が第一本体側筒部１２１の前方で第一本体側筒部１２１と略同一軸心上に配置され、第一本体側筒部１２１と連通されることになる。つまり、第一かしめ部１００は、最前部に位置する第一蓋側収容部１３２から最後部に位置する第一本体側筒部１２１までが連通され、全体として軸心方向を前後方向とする有底の略筒状に形成される。ここで、第一かしめ部１００は、後側に閉塞部１２５を有し、前側を開口する形状となる。
【００４７】
次に、第二かしめ部２００の構成について、図５から図１１を用いて説明する。
【００４８】
第二かしめ部２００は、図５に示すように、第二本体側かしめ部２２０と、第二蓋側かしめ部２３０とを備える。第二かしめ部２００は、その長手方向をケース本体２と蓋部材３との対向方向である前後方向として、３つのかしめ部１０の真中で、第一かしめ部１００の左隣に配置される。
【００４９】
第二本体側かしめ部２２０は、図７から図１１に示すように、第二かしめ部２００の後側に配置される。第二本体側かしめ部２２０は、ケース本体２に設けられる。第二本体側かしめ部２２０は、第二本体側収容部２２２と、第二本体側筒部２２１と、第二本体側枠体２２３とを備える。
【００５０】
第二本体側収容部２２２は、前後側が開口された略四角筒状に形成される。第二本体側収容部２２２は、その軸心方向を前後方向として、ケース本体２の天板（基板ケース１の天板）よりも上方に配置される。
第二本体側収容部２２２は、複数（本実施形態においては、２つ）の本体側連結片２２５を介してケース本体２の天板に連結される。また、第二本体側収容部２２２は、後述する第二本体側枠体２２３とも１つの本体側連結片２２５を介して連結される。各本体側連結片２２５は、ニッパ等の工具により切断可能な部材である。
本実施形態において、図７（ｂ）に示すように、第二本体側収容部２２２の底板の後部（後方から視認可能な位置）に２つの本体側連結片２２５が左右方向に適宜な間隔をあけて配置されるとともに、天板の前部に１つの本体側連結片２２５が配置される。そして、第二本体側収容部２２２が三つの本体側連結片２２５を介してケース本体２の天板に連結された状態で、これら全ての本体側連結片２２５が切断されると、第二本体側収容部２２２は、ケース本体２の天板および第二本体側枠体２２３から分離してケース本体２から外れるようになっている。
また、第二本体側収容部２２２の左右の側板には、それぞれその前端部を切り欠くようにして、上下方向に細長い長方形状の開口部２２６が形成される。
【００５１】
第二本体側筒部２２１は、前後側ともに開口された略円筒状に形成される。第二本体側筒部２２１は、ケース本体２の天板の上方において、その軸心方向を前後方向として、第二本体側収容部２２２のすぐ前に左右の開口部２２６を閉塞しないように配置されて、第二本体側収容部２２２と前後に連続するように設けられる。
第二本体側筒部２２１は、第二本体側収容部２２２の内径よりも小径の略円筒形状に形成され、第二本体側収容部２２２と連通される。第二本体側筒部２２１は、その後端部を第二本体側収容部２２２の前端部内に嵌入することにより、第二本体側収容部２２２を介してケース本体２の天板に連結される。
【００５２】
第二本体側枠体２２３は、前後側および下側が開口された略四角筒状に形成される。第二本体側枠体２２３は、ケース本体２の天板の上方において、第二本体側筒部２２１の外周部を上方から覆うように配置される。第二本体側枠体２２３は、ケース本体２の天板に直接固定され、ケース本体２内と連通される。
また、図１０および図１１に示すように、第二本体側枠体２２３の内径の前後、左右および上下方向の長さは、第二本体側筒部２２１の外径の前後、左右および上下方向の長さよりも長く設定される。また、第二本体側枠体２２３の内径の左右および上下方向の長さは、第二本体側収容部２２２の外径の左右および上下方向の長さよりも長く設定される。そして、第二本体側枠体２２３は、その内部に第二本体側筒部２２１の全部と、第二本体側収容部２２２の前端部を収容可能に構成される。
また、第二本体側枠体２２３は、前述したように、本体側連結片２２５を介して第二本体側収容部２２２と連結される。本実施形態において、第二本体側枠体２２３の天板の後部に、（第二本体側収容部２２２の天板の前部と連結される）１つの本体側連結片２２５が配置される。
また、第二本体側枠体２２３の外径の前後および上下方向の長さは、第一かしめ部１００における第一本体側かしめ部１２０の第一本体側枠体１２３の外径の前後および上下方向の長さよりも長く設定される。したがって、平面視で第二本体側枠体２２３の前後端部は、第一本体側枠体１２３の前後端部よりも外方（前後方）に位置し、また正面視で第二本体側枠体２２３の天板は、第一本体側枠体１２３の天板よりも上方へ突出するように構成される。
【００５３】
こうして、第二本体側かしめ部２２０は、第二本体側収容部２２２と、第二本体側筒部２２１とを後方から前方へ向けて順に連続させるとともに、第二本体側枠体２２３を第二本体側収容部２２２および第二本体側筒部２２１の周囲に配置して構成され、図９（ｂ）に示すように、全体として軸心方向を前後方向とする略二重筒状に形成される。ここで、第二本体側かしめ部２２０は、内側の筒状部では第二本体側収容部２２２および第二本体側筒部２２１の形状に応じて、後方から前方へ向けて段階的に縮径しながら、蓋部材３との対向側である前側を開口するとともに、蓋部材３との反対向側である後側を開口する形状となり、外側の筒状部では第二本体側枠体２２３の形状に応じて、蓋部材３との対向側である前側を開口するとともに、蓋部材３との反対向側である後側を開口し、さらに下側を開口する形状となる。
【００５４】
第二蓋側かしめ部２３０は、図６、図８から図１１に示すように、第二かしめ部２００の前側に配置される。第二蓋側かしめ部２３０は、蓋部材３に設けられる。第二蓋側かしめ部２３０は、第二蓋側枠体２３３と、第二蓋側収容部２３２と、第二蓋側筒部２３１とを備える。
【００５５】
第二蓋側筒部２３１は、図６に示すように、前側が閉塞部２３５により閉じられ、後側が開口された有蓋の略円筒状に形成される。第二蓋側筒部２３１は、その軸心方向を前後方向として、蓋部材３の天板（基板ケース１の天板）よりも上方に配置される。
【００５６】
第二蓋側収容部２３２は、前後側および上側が開口された略筒状に形成される。第二蓋側収容部２３２は、蓋部材３の天板の上方において、その軸心方向を前後方向として、第二蓋側筒部２３１のすぐ後に配置され、第二蓋側筒部２３１と前後に連続するように設けられる。第二蓋側収容部２３２は、下部の外周形状が下方へ凸となるように第二蓋側筒部２３１よりも大径に形成され、第二蓋側筒部２３１と連通される。
また、図１０および図１１に示すように、第二蓋側収容部２３２の内径の前後、左右および上下方向の長さは、第二本体側かしめ部２２０の第二本体側筒部２２１の外径の前後、左右および上下方向の長さより若干長く設定される。また、第二蓋側収容部２３２の外径の前後、左右および上下方向の長さは、第二本体側かしめ部２２０の第二本体側枠体２２３の内径の前後、左右および上下方向の長さより短く設定される。そして、第二蓋側収容部２３２の全部が第二本体側枠体２２３内に収容可能に構成されるとともに、第二本体側筒部２２１の略全部が第二蓋側収容部２３２に嵌め込み可能に構成される。
【００５７】
第二蓋側枠体２３３は、前後側および上側が開口された略四角筒状に形成される。第二蓋側枠体２３３は、蓋部材３の天板の上方において、その軸心方向を前後方向として、第二蓋側収容部２３２のすぐ後に配置されて、第二蓋側収容部２３２と前後に連続するように設けられる。第二蓋側枠体２３３は、第二蓋側収容部２３２よりも大径に形成され、第二蓋側収容部２３２と連通される。第二蓋側枠体２３３は、蓋部材３の天板に直接固定される。
また、図１０および図１１に示すように、第二蓋側枠体２３３の外径の前後および上下方向の長さは、第二本体側かしめ部２２０の第二本体側枠体２２３の内径の前後および上下方向の長さより若干短く設定される。そして、第二蓋側枠体２３３が第二本体側枠体２２３内に嵌め込み可能に構成される。
【００５８】
こうして、第二蓋側かしめ部２３０は、第二蓋側筒部２３１と、第二蓋側収容部２３２と、第二蓋側枠体２３３とを前方から後方へ向けて順に連続させて構成され、全体として軸心方向を前後方向とする略筒状に形成される。ここで、第二蓋側かしめ部２３０は、第二蓋側筒部２３１、第二蓋側収容部２３２および第二蓋側枠体２３３の形状に応じて、前方から後方へ向けて段階的に拡径しながら、ケース本体２との反対向側である前側を閉じるとともに、ケース本体２との対向側である後側を開口する形状となる。
【００５９】
このような構成において、前述のように基板ケース１を組み立てる場合に、蓋部材３の上部をケース本体２に嵌合させたまま上方へスライド移動させるとき、蓋部材３の第二蓋側かしめ部２３０が、蓋部材３のスライド移動にともなって上方へ向けて移動し、図１０および図１１に示すように、ケース本体２の第二本体側かしめ部２２０に下方から嵌め込まれる。具体的には、第二蓋側収容部２３２内に第二本体側筒部２２１の全部が嵌めこまれ、第二蓋側収容部２３２が第二本体側枠体２２３に収容される。そして、第二本体側収容部２２２の前端部が第二蓋側枠体２３３に嵌め込まれる。この際、第二本体側収容部２２２は第二蓋側収容部２３２内に嵌め込まれず、第二本体側筒部２２１は第二蓋側筒部２３１内に嵌め込まれない。こうして、第二かしめ部２００は、ケース本体２と蓋部材３とが組み付けられたときに、第二蓋側かしめ部２３０の後部を第二本体側かしめ部２２０の前部内に下方から嵌め込んで、第二蓋側かしめ部２３０が第二本体側かしめ部２２０と前後に略一直線状に並ぶように形成される。
【００６０】
また、第二かしめ部２００内においては、第二蓋側筒部２３１が第二本体側筒部２２１の前方で第二本体側筒部２２１と略同一軸心上に配置され、第二本体側筒部２２１と連通されることになる。つまり、第二かしめ部２００は、最後部に位置する第二本体側収容部２２２から最前部に位置する第二蓋側筒部２３１までが連通され、全体として軸心方向を前後方向とする有蓋の略筒状に形成される。ここで、第二かしめ部２００は、前側に閉塞部２３５を有し、後側を開口する形状となる。
【００６１】
次に、第一かしめ部１００および第二かしめ部２００に嵌入される嵌入部材５０の構成について、図１２を用いて説明する。
【００６２】
嵌入部材５０は、スプリングピン５１と、組み付けピン５２とを組み付けて形成される。嵌入部材５０の軸心方向の幅は、第一本体側かしめ部１２０の前後幅よりも若干小さく設定される。
スプリングピン５１は、鉄鋼やばね鋼などから構成される略円筒状の部材である。スプリングピン５１の外周面の一部には、切り込み５１ａが軸心方向に蛇行しながら延びるように形成される。スプリングピン５１の自然状態における外径は、第一本体側筒部１２１および第一蓋側筒部１３１の内径よりも若干大きく設定される。スプリングピン５１は弾性を有しており、スプリングピン５１の外周側から半径方向内側（切り込み５１ａの幅が小さくなる方向）に力がかかると、力がかかった方向へ弾性変形する。スプリングピン５１は、半径方向内側へ弾性変形した状態では、半径方向外側（切り込み５１ａの幅が大きくなる方向）への復元力を有する。
組み付けピン５２は、ＡＢＳ等の合成樹脂材などから構成されて可撓性を有する。組み付けピン５２は、略四角板状に形成された板状片５３の中央部から挿入軸５４を延出させて形成される。板状片５３の直径は、スプリングピン５１の外径よりも大きく、かつ第一蓋側収容部１３２および第二本体側収容部２２２の内径よりも若干大きく設定される。そして、組み付けピン５２は、挿入軸５４をスプリングピン５１の一側の開口部から挿入して、板状片５３をスプリングピン５１の一側端部に固定することにより、スプリングピン５１と組み付けられる。
【００６３】
次に、ケース本体２と蓋部材３との固定について、図１３を用いて説明する。
【００６４】
ケース本体２と蓋部材３との固定は、嵌入部材５０が第一かしめ部１００および第二かしめ部２００にそれぞれ嵌入されて、第一かしめ部１００の第一本体側かしめ部１２０と第一蓋側かしめ部１３０とがかしめられるとともに、第二かしめ部２００の第二本体側かしめ部２２０と第二蓋側かしめ部２３０とがかしめられることによって行われる。
【００６５】
具体的には、基板ケース１が組み立てられる場合に、ケース本体２と蓋部材３とが組み付けられたとき、かしめ部１０の左側の組においては、第一蓋側かしめ部１３０が、その後部を第一本体側かしめ部１２０の前部に嵌め込んだ状態で、第一本体側かしめ部１２０と連通しつつ前後に略一直線状に並ぶように組み付けられて、第一かしめ部１００が全体として軸心方向を前後方向とする有底の略筒状に形成される。
そして、嵌入部材５０が、スプリングピン５１を後側として、第一かしめ部１００内にその前側の開口部、即ち第一蓋側収容部１３２の前側の開口部から嵌入される。
この際、嵌入部材５０は、板状片５３の直径が第一蓋側収容部１３２の内径よりも若干大きく設定されることから、板状片５３の左右の外周部を曲げて第一蓋側収容部１３２の内周面に当接させながら（板状片５３の左右側端部が前方へ向けて反り返りながら）、第一かしめ部１００内に嵌入される。
そして、嵌入部材５０のスプリングピン５１の後部が第一蓋側筒部１３１内を通過して第一本体側筒部１２１内に至ると、板状片５３が左右の外周部の曲げを戻して（つまり、板状片５３の左右側端部の前方へ向けての反り返りがなくなり、板状片５３の形状が復元する）、第一蓋側収容部１３２の左右側壁の開口部１３６に嵌め込まれる。こうして、嵌入部材５０が第一かしめ部１００に対して抜け止めされる。
【００６６】
嵌入部材５０の第一かしめ部１００への嵌入時、第一本体側筒部１２１の内径および第一蓋側筒部１３１の内径は、スプリングピン５１の自然状態における外径よりも若干小さく設定されていることから、第一本体側筒部１２１内および第一蓋側筒部１３１内に嵌入されたスプリングピン５１は、径が縮小する方向（半径方向内側）へ弾性変形する。
この状態においては、嵌入部材５０のスプリングピン５１の復元力、つまりスプリングピン５１の半径方向外側へ向けられた力と、第一本体側筒部１２１および第一蓋側筒部１３１のそれぞれの反力とによって、スプリングピン５１の外周面と第一本体側筒部１２１および第一蓋側筒部１３１の内周面との間に摩擦力が発生する。
【００６７】
このような構成により、嵌入部材５０が第一かしめ部１００に第一本体側筒部１２１と第一蓋側筒部１３１との間に跨った状態で保持されて、第一本体側かしめ部１２０と第一蓋側かしめ部１３０とがかしめられ、ケース本体２と蓋部材３とが固定される。
また、嵌入部材５０は、第一本体側筒部１２１と第一蓋側筒部１３１との間に跨った状態から前方へ向けて簡単には移動しなくなる。そのため、一旦第一本体側かしめ部１２０と第一蓋側かしめ部１３０とがかしめられた後は、嵌入部材５０を第一かしめ部１００から抜き取って、ケース本体２と蓋部材３との固定を容易に解除することはできないようになっている。
【００６８】
また、基板ケース１が組み立てられる場合に、ケース本体２と蓋部材３とが組み付けられたとき、かしめ部１０の左側の組においては、第二蓋側かしめ部２３０が、その後部を第二本体側かしめ部２２０の前部に嵌め込んだ状態で、第二本体側かしめ部２２０と連通しつつ前後に略一直線状に並ぶように組み付けられて、第一かしめ部１００が全体として軸心方向を前後方向とする有蓋の略筒状に形成される。
そして、嵌入部材５０が、スプリングピン５１を前側として、第一かしめ部１００内にその後側の開口部、即ち第二本体側収容部２２２の後側の開口部から嵌入される。
この際、嵌入部材５０は、板状片５３の直径が第二本体側収容部２２２の内径よりも若干大きく設定されることから、板状片５３の左右の外周部を曲げて第二本体側収容部２２２の内周面に当接させながら（板状片５３の左右側端部が後方へ向けて反り返りながら）、第二かしめ部２００内に嵌入される。
そして、嵌入部材５０のスプリングピン５１の前部が第二本体側筒部２２１内を通過して第二蓋側筒部２３１内に至ると、板状片５３が左右の外周部の曲げを戻して（つまり、板状片５３の左右側端部の後方へ向けての反り返りがなくなり、板状片５３の形状が復元する）、第二本体側収容部２２２の左右側壁の開口部２２６に嵌め込まれる。こうして、嵌入部材５０が第二かしめ部２００に対して抜け止めされる。
【００６９】
嵌入部材５０の第二かしめ部２００への嵌入時、第二本体側筒部２２１の内径および第二蓋側筒部２３１の内径は、スプリングピン５１の自然状態における外径よりも若干小さく設定されていることから、第二本体側筒部２２１および第二蓋側筒部２３１に嵌入されたスプリングピン５１は、径が縮小する方向（半径方向内側）へ弾性変形する。
この状態においては、嵌入部材５０のスプリングピン５１の復元力、つまりスプリングピン５１の半径方向外側へ向けられた力と、第二本体側筒部２２１および第二蓋側筒部２３１のそれぞれの反力とによって、スプリングピン５１の外周面と第二本体側筒部２２１および第二蓋側筒部２３１の内周面との間に摩擦力が発生する。
【００７０】
このような構成により、嵌入部材５０が第二かしめ部２００に第二本体側筒部２２１と第二蓋側筒部２３１との間に跨った状態で保持されて、第二本体側かしめ部２２０と第二蓋側かしめ部２３０とがかしめられ、ケース本体２と蓋部材３とが固定される。
また、嵌入部材５０は、第二本体側筒部２２１と第二蓋側筒部２３１との間に跨った状態から後方へ向けて簡単には移動しなくなる。そのため、一旦第二本体側かしめ部２２０と第二蓋側かしめ部２３０とがかしめられた後は、嵌入部材５０を第二かしめ部２００から抜き取って、ケース本体２と蓋部材３との固定を容易に解除することはできないようになっている。
【００７１】
次に、蓋部材３とケース本体２との固定の解除について説明する。
【００７２】
蓋部材３とケース本体２との固定の解除は、嵌入部材５０を第一かしめ部１００および第二かしめ部２００から抜き取らずに、第一かしめ部１００の第一蓋側かしめ部１３０を蓋部材３に連結させる蓋側連結片１３５と、第二かしめ部２００の第二本体側かしめ部２２０をケース本体２に連結させる本体側連結片２２５とを切断することによって行われる。
【００７３】
具体的には、基板ケース１が組み立てられた後、第一かしめ部１００側の蓋側連結片１３５がニッパ等の切断用工具により切断されると、第一かしめ部１００においては、第一蓋側かしめ部１３０の第一蓋側収容部１３２が蓋部材３の天板と分離して蓋部材３から外れる。
このとき、第一蓋側かしめ部１３０の第一蓋側筒部１３１が第一本体側筒部１２１内に嵌め込まれた状態で、嵌入部材５０のスプリングピン５１が第一本体側筒部１２１内および第一蓋側筒部１３１内に嵌入されるとともに、嵌入部材５０の板状片５３が第一蓋側収容部１３２の開口部１３６に嵌め込まれているため、第一蓋側かしめ部１３０がケース本体２に第一本体側かしめ部１２０を介して連結されている。しかし、第一蓋側収容部１３２が蓋部材３から外れているため、第一かしめ部１００（第一本体側かしめ部１２０および第一蓋側かしめ部１３０）がケース本体２のみに設けられた状態となって、ケース本体２と蓋部材３との固定が解除される。
【００７４】
また、基板ケース１が組み立てられた後、第二かしめ部２００側の本体側連結片２２５がニッパ等の切断用工具により切断されると、第二かしめ部２００においては、第二本体側かしめ部２２０の第二本体側収容部２２２が第二本体側枠体２２３およびケース本体２の天板と分離して蓋部材３から外れる。
この状態においては、第二本体側かしめ部２２０の第二本体側筒部２２１が第二蓋側収容部２３２内に嵌め込まれた状態で、嵌入部材５０のスプリングピン５１が第二蓋側筒部２３１内および第二本体側筒部２２１内に嵌入されるとともに、嵌入部材５０の板状片５３が第二本体側収容部２２２の開口部２２６に嵌め込まれているため、第二本体側かしめ部２２０が蓋部材３に第二蓋側かしめ部２３０を介して連結されている。しかし、第二本体側収容部２２２がケース本体２から外れているため、第二かしめ部２００（第二本体側かしめ部２２０および第二蓋側かしめ部２３０）が蓋部材３のみに設けられた状態となって、ケース本体２と蓋部材３との固定が解除される。
【００７５】
次に、蓋側連結片１３５の構成について、図１４を用いて、さらに詳細に説明する。
【００７６】
蓋側連結片１３５は、第一かしめ部１００における第一蓋側かしめ部１３０の第一蓋側収容部１３２を蓋部材３に連結させる部材である。蓋側連結片１３５は、第一蓋側収容部１３２と蓋部材３との間に介設される。蓋側連結片１３５は、略平板状に形成されて、長手方向を前後方向とし、かつ短手方向を上下方向として蓋部材３の天板から上方へ向けて延出される。蓋側連結片１３５の下端部は、蓋部材３の天板に一体的に連結され、また、蓋側連結片１３５の上端部は、第一蓋側収容部１３２の底板に一体的に連結される。即ち、蓋部材３と第一蓋側収容部１３２とは、蓋側連結片１３５を介して一体的に連結される。そして、蓋部材３と第一蓋側収容部１３２とを連結する全ての蓋側連結片１３５が切断されると、第一蓋側収容部１３２が蓋部材３から分離して外れる（蓋部材３と別体となる）こととなる。
【００７７】
蓋側連結片１３５は、一つの第一蓋側収容部１３２に対して複数（本実施形態においては、３つ）備えられる。具体的には、第一蓋側収容部１３２の底板の前部に２つの蓋側連結片１３５（以下の説明において、「前部蓋側連結片１３５ａ」と称する。）が備えられ、第一蓋側収容部１３２の底板の後部に１つの蓋側連結片１３５（以下の説明において、「後部蓋側連結片１３５ｂ」と称する。）が備えられる。
【００７８】
前記２つの前部蓋側連結片１３５ａは、第一かしめ部１００における、第一蓋側収容部１３２と蓋部材３との間で、ケース本体２と蓋部材３との対向方向（即ち、前後方向）に対して直交する方向（即ち、左右方向）に適宜な間隔をあけて配置される。具体的には、２つの前部蓋側連結片１３５ａは、第一かしめ部１００における第一蓋側収容部１３２の前端部から若干後方（前方から視認可能な位置）であって、その第一蓋側収容部１３２の左右中央を中心として左右対称となる位置に配置される。
なお、本実施形態において、前部蓋側連結片１３５ａは、基板ケース１に２つ備えられているが、これに限定するものではなく、少なくとも２つ以上備えられていればよい。
【００７９】
前記１つの後部蓋側連結片１３５ｂは、第一かしめ部１００における第一蓋側収容部１３２と、蓋部材３との間で、ケース本体２と蓋部材３との対向方向（即ち、前後方向）におけるケース本体２側であって、かつ前後方向に対して直交する方向（即ち、左右方向）における前部蓋側連結片１３５ａが配置される範囲内に配置される。具体的には、１つの後部蓋側連結片１３５ｂは、第一蓋側収容部１３２において、２つの前部蓋側連結片１３５ａの若干後方、つまり２つの前部蓋側連結片１３５ａの後端部から１つの後部蓋側連結片１３５ｂの前端部まで若干の隙間をあけた状態で、その第一蓋側収容部１３２の左右中央に配置される。また、第一かしめ部１００における後部蓋側連結片１３５ｂの後端部は、第一本体側かしめ部１２０の第一本体側枠体１２３の前部内に収容され、側面視で後部蓋側連結片１３５ｂの後端部と第一本体側枠体１２３の前部とが重複するように配置される。
【００８０】
次に、ニッパ等の切断用工具によって行われる、前部蓋側連結片１３５ａおよび後部蓋側連結片１３５ｂの切断について説明する。
【００８１】
ニッパ９０は、図１５（ａ）に示すように、蓋側連結片１３５を切断するための切断用工具の一例である。ニッパ９０は、柄部９１と切断用の刃部９２とをそれぞれ備える２本のアームを、相対回転可能に連結して構成される。一対の刃部９２は、互いに近接して当接したとき（一対の刃部９２が閉じたとき）、一対の刃部９２の内側部分である刃先が対向し、突き合わせ状となる。そして、一対の刃部９２は、図１５（ｂ）に示すように、平面断面視で対向して当接した互いの刃先が鋭角となるように形成され、互いに離間する方向へ行くに従いそれぞれの刃部９２の厚さ（幅）が拡径して、その刃部９２の剛性が高められている。
このように構成されるニッパ９０により前部蓋側連結片１３５ａおよび後部蓋側連結片１３５ｂが切断される場合、前部蓋側連結片１３５ａおよび後部蓋側連結片１３５ｂが、一対の刃部９２が開いた状態でその刃先の間に挟入される。そして、その一対の刃先が前部蓋側連結片１３５ａおよび後部蓋側連結片１３５ｂ内へ該前部蓋側連結片１３５ａおよび該後部蓋側連結片１３５ｂを押し潰しながら侵入し、一対の刃部９２が閉じた状態となったときに、該前部蓋側連結片１３５ａおよび該後部蓋側連結片１３５ｂが切断されることとなる。
【００８２】
本実施形態において、第一かしめ部１００における蓋部材３とケース本体２との固定を解除するため、つまり、２つの前部蓋側連結片１３５ａおよび１つの後部蓋側連結片１３５ｂを切断するためには、先に２つの前部蓋側連結片１３５ａを切断し、次に１つの後部蓋側連結片１３５ｂを切断する必要がある。即ち、第一蓋側収容部１３２と蓋部材３との間に介設される後部蓋側連結片１３５ｂを切断するためには、前後または左右方向のいずれかの方向から、ニッパ９０の一対の刃部９２を第一蓋側収容部１３２と蓋部材３との間に挿入し、一対の刃部９２が開いた状態でその刃先の間に後部蓋側連結片１３５ｂを挟入する必要がある。しかしながら、後部蓋側連結片１３５ｂの後方には、第一本体側かしめ部１２０が配置されるので、後方からニッパ９０の一対の刃部９２を第一蓋側収容部１３２と蓋部材３との間に挿入することはできない。また、後部蓋側連結片１３５ｂの後端部は、第一本体側枠体１２３の前部と側面視で重複しているので、左右側方からニッパ９０の一対の刃部９２を第一蓋側収容部１３２と蓋部材３との間に挿入することはできない。したがって、後部蓋側連結片１３５ｂを切断するためには、後部蓋側連結片１３５ｂよりも前方に配置される前部蓋側連結片１３５ａを先に切断し、その前部蓋側連結片１３５ａの切断跡を介してニッパ９０の一対の刃部９２を、前方から第一蓋側収容部１３２と蓋部材３との間に挿入し、一対の刃部９２が開いた状態でその刃先の間に該後部蓋側連結片１３５ｂを挟入して切断する必要がある。
【００８３】
先ず、前部蓋側連結片１３５ａをニッパ９０により切断する場合、即ち、図１６（ａ）および（ｂ）に示すように、ニッパ９０の一対の刃部９２を前方から第一蓋側収容部１３２と蓋部材３との間に挿入し、一対の刃部９２の刃先の間に前部蓋側連結片１３５ａを挟入して切断した場合には、切断された前部蓋側連結片１３５ａの切断幅、つまり切断されて２つに分離した一側（上側）の前部蓋側連結片１３５ａと、他側（下側）の前部蓋側連結片１３５ａとの間の幅は、その切断時に前部蓋側連結片１３５ａ内に侵入した一対の刃部９２の刃先部分における最大幅の厚み（上下方向の幅）と略同一幅となる。
本実施形態において、前部蓋側連結片１３５ａを切断したとき（刃先の間に前部蓋側連結片１３５ａを挟入してから、一対の刃部９２が閉じたとき）、前部蓋側連結片１３５ａ内に侵入したニッパ９０の一対の刃部９２の刃先部分における最大幅の厚み（上下方向の幅）は、図１６（ｂ）に示すように、幅Ｌ１である。したがって、図１６（ｃ）に示すように、切断された前部蓋側連結片１３５ａの切断幅のうち、最大の幅（上下方向の幅）は、幅Ｌ１と略同一となる。
【００８４】
２つの前部蓋側連結片１３５ａを切断した後は、後部蓋側連結片１３５ｂを切断する。かかる場合、ニッパ９０の一対の刃部９２を第一蓋側収容部１３２と蓋部材３との間のさらに後方へ向けて移動し、一対の刃部９２の刃先の間に後部蓋側連結片１３５ｂを挟入して切断できる位置に配置する（以下の説明において、この位置を「後部蓋側連結片切断位置」と称する（図１７（ａ）参照）。）。この後部蓋側連結片切断位置に配置されたニッパ９０は、図１７（ａ）に示すように、平面視で２つの前部蓋側連結片１３５ａと、ニッパ９０の一対の刃部９２とが重複している。即ち、この後部蓋側連結片切断位置に配置されたニッパ９０においては、一対の刃部９２が、２つの前部蓋側連結片１３５ａの切断跡、つまり切断されて２つに分離した一側（上側）の前部蓋側連結片１３５ａと、他側（下側）の前部蓋側連結片１３５ａとの間に挿入された状態となっている。したがって、かかる場合には、２つの前部蓋側連結片１３５ａの切断幅が、この切断跡に挿入されているニッパ９０の一対の刃部９２の厚み（上下方向の幅）よりも大きい必要がある。
【００８５】
しかしながら、本実施形態において、ニッパ９０の一対の刃部９２は、前述したように、互いに離間する方向へ行くに従いそれぞれの刃部９２の厚さ（幅）が拡径されるものである。したがって、２つの前部蓋側連結片１３５ａを切断時に前部蓋側連結片１３５ａ内に侵入した一対の刃部９２の刃先部分における最大幅の厚み（上下方向の幅）である幅Ｌ１と比べて、前記刃先部分に対して前記離間する方向に位置される、後部蓋側連結片切断位置に配置されたニッパ９０において２つの前部蓋側連結片１３５ａの切断跡に挿入される一対の刃部９２の厚み（上下方向の幅、以下の説明において、「幅Ｌ２」と称する。）は大きいこととなる。よって、２つの前部蓋側連結片１３５ａの切断幅が幅Ｌ１では、つまり、２つの前部蓋側連結片１３５ａを一箇所切断しただけでは、ニッパ９０の一対の刃部９２を第一蓋側収容部１３２と蓋部材３との間のさらに後方へ向けて移動させても、図１７（ｂ）に示すように、その一対の刃部９２が２つの前部蓋側連結片１３５ａと接触し、その後方への移動が規制されることとなり、ニッパ９０の一対の刃部９２を後部蓋側連結片切断位置に配置することができない。
【００８６】
つまり、ニッパ９０の一対の刃部９２を後部蓋側連結片切断位置に配置して該後部蓋側連結片１３５ｂを切断するためには、２つの前部蓋側連結片１３５ａの切断幅を幅Ｌ１ではなく、少なくとも幅Ｌ１よりも大きい幅である幅Ｌ２とする必要がある（図１６（ｂ）参照）。したがって、前部蓋側連結片１３５ａを一箇所切断するのではなく、例えば該前部蓋側連結片１３５ａを上下に幅Ｌ２以上の間隔をあけて二箇所切断するなどして、その上下の切断跡に挟まれて分離した部分を取り除くことにより、前部蓋側連結片１３５ａの切断幅を、幅Ｌ２以上とするものである。これによって、ニッパ９０の一対の刃部９２は、第一蓋側収容部１３２と蓋部材３との間のさらに後方へ向けて移動して、後部蓋側連結片切断位置に配置することができる。つまり、一対の刃部９２の刃先の間に後部蓋側連結片１３５ｂを挟入して切断することができる。
【００８７】
以上のように、本発明の一実施形態に係る基板ケース１は、
ケース本体２と蓋部材３とを組み付けて形成される基板ケースにおいて、
前記ケース本体２の天板（一側面）に設けられる第一本体側かしめ部（本体側筒状部材）１２０と、蓋部材３の天板（一側面）に設けられる第一蓋側かしめ部（蓋側筒状部材）１３０とが対向して配置されることにより構成される第一かしめ部（基板ケース筒状部材）１００と、
第一かしめ部（基板ケース筒状部材）１００に、第一本体側かしめ部（本体側筒状部材）１２０と第一蓋側かしめ部（蓋側筒状部材）１３０とを跨いだ状態に嵌入されることにより、ケース本体２と蓋部材３とを固定する嵌入部材５０と、
を備え、
第一蓋側かしめ部（蓋側筒状部材）１３０は、複数の蓋側連結片１３５を介して蓋部材３に連結され、
前記複数の蓋側連結片１３５のうち、後部蓋側連結片（一部の連結片）１３５ｂと前部蓋側連結片（他部の連結片）１３５ａとは、第一蓋側かしめ部（蓋側筒状部材）１３０と蓋部材３との間における、前記対向方向である前後方向の位置をずらして配置され、
後部蓋側連結片（一部の連結片）１３５ｂは、前部蓋側連結片（他部の連結片）１３５ａよりも、前記前後方向のケース本体２側に配置されるものである。
【００８８】
また、基板ケース１は、前部蓋側連結片（他部の連結片）１３５ａは、少なくとも２つ以上設けられ、それぞれが第一蓋側かしめ部（蓋側筒状部材）１３０と蓋部材３との間で、前後方向に対して直交する方向である左右方向に所定の間隔をあけて配置され、
後部蓋側連結片（一部の連結片）１３５ｂは、第一蓋側かしめ部（蓋側筒状部材）１３０と蓋部材３との間で、前部蓋側連結片（他部の連結片）１３５ａよりも、前後方向におけるケース本体２側の位置であって、かつ前後方向に対して直交する左右方向における前記所定の間隔をあけて配置された前部蓋側連結片（他部の連結片）１３５ａの前記間隔内に配置されるものである。
【００８９】
このように構成により、後部蓋側連結片１３５ｂは、第一蓋側収容部１３２と蓋部材３との間において、前部蓋側連結片１３５ａよりもケース本体２側、つまり後方側に配置されるので、ニッパ９０の一対の刃部９２を挿入して切断することが比較的困難であり、不正行為を容易に行うことができない。
【００９０】
また、このような構成により、遊技機が配置された遊技場等の担当者が、基板ケース１を蓋部材３側、つまり前方から見て、第一かしめ部１００の蓋側連結片１３５の状態を確認し、その状態に応じてケース本体２と蓋部材３との固定が解除されたか否か視覚的に容易に確認することができる。
【００９１】
即ち、従来の基板ケースの技術において、第一蓋側収容部１３２と蓋部材３とを連結している蓋側連結片１３５を切断してケース本体２と蓋部材３との固定を解除する場合、前部蓋側連結片１３５ａをニッパ９０を用いて（一箇所）切断すれば、ケース本体２と蓋部材３との固定を解除することができる。つまり、前部蓋側連結片１３５ａは切断されて２つに分離すればよく、その切断幅の大きさは問題とならい。したがって、例えば、図１９に示すように、幅Ｌ１であってもよい。よって、前記担当者がこの基板ケースを見ても、幅Ｌ１は比較的幅が小さいのでケース本体２と蓋部材３との固定が解除されたことを見落とすおそれがあった。
【００９２】
他方、本実施形態において、第一蓋側収容部１３２と蓋部材３とを連結している前部蓋側連結片１３５ａおよび後部蓋側連結片１３５ｂを切断してケース本体２と蓋部材３との固定を解除する場合、前述したように、前部蓋側連結片１３５ａをニッパ９０を用いて上下に二箇所切断するなどして、切断幅を大きくし、その後に後部蓋側連結片１３５ｂを切断して、ケース本体２と蓋部材３との固定を解除するものである。つまり、この場合における前部蓋側連結片１３５ａの切断幅は、図１８に示すように、幅Ｌ１よりも大きい幅Ｌ２となっている。即ち、前記担当者が基板ケース１を前方から見て、前部蓋側連結片１３５ａの状態を確認した場合、従来の技術における前部蓋側連結片１３５ａの切断幅である幅Ｌ１と比べて本実施形態における前部蓋側連結片１３５ａの切断幅である幅Ｌ２は、より大きく視認し易くなっている。その結果、例えば、基板ケース１において、ケース本体２と蓋部材３との固定が不正に解除された場合であっても、前記担当者は、基板ケース１の前方から前部蓋側連結片１３５ａを視認すれば、ケース本体２と蓋部材３との固定が不正に解除されたことを視覚的に容易に認識することができる。
【００９３】
なお、本実施形態における、ニッパ９０は前部蓋側連結片１３５ａおよび後部蓋側連結片１３５ｂを切断するための工具の一例であり、本発明により奏する効果は、このニッパ９０を用いて蓋側連結片１３５および後部蓋側連結片１３５ｂを切断した場合に限定するものではない。即ち、刃部を有する切断用工具であって、かつその刃先から被切断物から離間する方向（つまり、該工具により切断する際に被切断物に接触する反対方向）へ行くに従いその刃部の厚さ（幅）が拡径している工具を用いて前部蓋側連結片１３５ａおよび後部蓋側連結片１３５ｂが切断された場合であれば、本発明による効果が奏する。
【００９４】
また、前部蓋側連結片１３５ａおよび後部蓋側連結片１３５ｂの配置は、本実施形態における配置に限定するものではない。即ち、前部蓋側連結片１３５ａおよび後部蓋側連結片１３５ｂを切断するために、該前部蓋側連結片１３５ａおよび該後部蓋側連結片１３５ｂの配置や、該蓋側連結片１３５および該後部蓋側連結片１３５ｂ以外の部材に配置により、先ず前部蓋側連結片１３５ａを切断し、次に後部蓋側連結片１３５ｂを切断する構成であって、且つ後部蓋側連結片１３５ｂを切断するためには、前部蓋側連結片１３５ａが切断されて２つに分離されるだけではなく、その切断幅の大きさが必要とされる構成、つまりその切断跡が視認し易い構成であればよい。
例えば、図２０に示すように、長手方向を左右方向とした前部蓋側連結片１３５ａを左右に配置し、その左右の蓋側連結片１３５の間に長手方向を前後方向として後部蓋側連結片１３５ｂを配置する構成であってもよい。かかる場合、２つの前部蓋側連結片１３５ａが長手方向を左右方向としているため、先ず、左右側方からニッパ９０の一対の刃部９２を挿入し、その刃先の間にこの前部蓋側連結片１３５ａを挟入して切断する。次に前方からニッパ９０の一対の刃部９２を挿入し、その刃先の間に後部蓋側連結片１３５ｂを挟入することとなる。しかし、後部蓋側連結片１３５ｂの左右には前部蓋側連結片１３５ａが配置されているので、これらの前部蓋側連結片１３５ａの切断幅を大きくしなければ、ニッパ９０の一対の刃部９２の刃先の間に後部蓋側連結片１３５ｂを挟入して切断することができない。したがって、前部蓋側連結片１３５ａの切断幅は大きくされ、前記担当者はその切断跡を視認し易く、ケース本体２と蓋部材３との固定が不正に解除されたことを視覚的に容易に認識することができる。
【００９５】
また、本実施形態においては、第二かしめ部２００における第二本体側かしめ部２２０の第二本体側枠体２２３とケース本体２とを連結する本体側連結片２２５は、蓋側連結片１３５とは別構成としている。しかしながら、本体側連結片２２５を蓋側連結片１３５と同一の構成とすることで（図示せぬ前部本体側連結片および後部本体側連結片を備える構成とすることで）、基板ケース１において、ケース本体２と蓋部材３との固定が不正に解除された場合であっても、前記担当者は、基板ケース１の後方から本体側連結片２２５を視認したとしても、ケース本体２と蓋部材３との固定が不正に解除されたことを視覚的に容易に認識することができる構成とすることができる。
【符号の説明】
【００９６】
１：基板ケース，２：ケース本体，３：蓋部材，５０：嵌入部材，１００：第一かしめ部，１２０：第一本体側かしめ部，１３０：第一蓋側かしめ部，１３５：蓋側連結片，１３５ａ：前部蓋側連結片，１３５ｂ：後部蓋側連結片
【図１】
2011212326.tif 000003
【図２】
2011212326.tif 000004
【図３】
2011212326.tif 000005
【図４】
2011212326.tif 000006
【図５】
2011212326.tif 000007
【図６】
2011212326.tif 000008
【図７】
2011212326.tif 000009
【図８】
2011212326.tif 000010
【図９】
2011212326.tif 000011
【図１０】
2011212326.tif 000012
【図１１】
2011212326.tif 000013
【図１２】
2011212326.tif 000014
【図１３】
2011212326.tif 000015
【図１４】
2011212326.tif 000016
【図１５】
2011212326.tif 000017
【図１６】
2011212326.tif 000018
【図１７】
2011212326.tif 000019
【図１８】
2011212326.tif 000020
【図１９】
2011212326.tif 000021
【図２０】
2011212326.tif 000022